(57)【特許請求の範囲】
【請求項１】
着用者の鼻及び口を覆う通気布帛部を有するマスク本体と、前記通気布帛部の内面に備えられる液体含浸手段とを含んだ保湿マスクにおいて、
前記通気布帛部は、横方向の折り目から形成された複数のプリーツを備え、
着用者の鼻頭を覆うプリーツの下方側折り目の重なり部により隠される下方側折り目の底部に、通気容易部を備えるとともに、前記下方側折り目の重なり部をなす下方部に、前記底部に沿って通気容易部形状保持手段が備えられ、
複数の前記プリーツを広げた状態で、前記通気布帛部の中央部が肌から離間するように膨出されて着用され、
前記通気容易部形状保持手段が、鼻孔下かつ上唇上の近傍部の位置の肌に押し付けられて着用されることにより、前記通気容易部が鼻孔に近づけられ、その位置が保持される、
ことを特徴とする保湿マスク。
【請求項２】
前記通気布帛部の上縁及び下縁のいずれにも、前記通気布帛部の縁部を顔面に接するようにさせる形状保持手段を備え、
上下を反転させて前記保湿マスクが着用される状態で、
前記通気容易部形状保持手段により、前記通気容易部を備えた折り目が起き上がらないように押さえつけられ、折り重ねられた状態に保持され、前記通気容易部が重なった折り目の中に隠された状態とされて、
衛生マスクとしても着用可能とされる、
ことを特徴とする請求項１に記載の保湿マスク。
【請求項３】
前記液体含浸手段は、前記着用者に直接に面する液体含浸部と、該液体含浸部を前記着用者の肌から離間させる含浸部離間手段とを含み、前記液体含浸部に液体が含浸されてから着用される、
ことを特徴とする請求項１又は請求項２に記載の保湿マスク。
【請求項４】
複数の前記液体含浸手段が前記通気布帛部の中央部を挟み左右に分散して配設され、前記含浸部離間手段は、不透水層を介して前記液体含浸部と接して備えられている、
ことを特徴とする請求項３に記載の保湿マスク。
【請求項５】
前記液体含浸部の肌側の面に突出部が備えられ、前記突出部が前記液体含浸部と前記肌とを離間させる前記含浸部離間手段とされている、
ことを特徴とする請求項３又は請求項４に記載の保湿マスク。
【請求項６】
前記通気布帛部の内面に、前記液体含浸手段の貼着位置の選択を容易にさせる貼着位置選択表示が示されている、
ことを特徴とする請求項１乃至請求項５のいずれか一項に記載の保湿マスク。
【発明の詳細な説明】
【技術分野】
【０００１】
本発明は、長時間マスクを着用しても、マスク内に含ませた液体により肌荒れを引き起こしにくい保湿マスクに関する。詳細には、着用者が所望する化粧水等を含ませることができ、液体含浸部と着用者の肌とが離間された状態となる液体含浸手段を有する保湿マスクであり、更には着用者の顔面の形状に応じて、液体含浸手段が着用者の肌に接しにくい位置を決定することを容易とする貼着位置選択手段を備えている保湿マスクに関する。
【背景技術】
【０００２】
雑菌、花粉等の侵入を防ぎ、喉のかわきを防ぐという目的にマスクが着用されている。一方で、マスクの着用により保湿効果があることが知られており、就寝時においてもマスクが着用されることもある。また、水等を含ませたパッドをマスク内面に備えさせたマスクも公知となっている。しかし、マスクを着用したまま就寝すると、息苦しさのためにマスクを無意識に外してしまうことがある。そこで、息に含まれる湿気とともに化粧水等を加湿手段として使用しても、肌荒れを引き起こさず、長時間着用しやすい保湿マスクが求められていた。【０００３】
特許文献１には、両頬から鼻筋に沿うように、マスクに装着させるクッションパッドの技術が開示されている。このクッションパッドに水等の液体を含ませて、保湿することができるとされている。しかし、微細な異物の侵入を防ぐ形状に形成された通気性材料からなるクッションパッドに水等を含ませると通気性が阻害されて呼吸がしにくくなり、長時間着用していることが困難になるという課題があった。また、水等が肌に接したままだと、肌荒れを起こし易くなるという課題もあった。【０００４】
特許文献２には、立体的に形成されたマスク本体部の口元空間に、揮発成分等を供給することができるマスク用被着部材の技術が開示されている。特許文献２の技術によれば、揮発成分を含有する帯状のシート体が、フィルム材料からなる外側シートと、最も通気性の低い内側シートと、中央シートとからなる３層シートであって、中央シートに揮発成分が含まれているとされている。【０００５】
そして、内側シートの通気性が低いために、揮発成分等が着用面側に供給されるのを抑えて、口元空間に好適に揮発成分が供給されるとしている。しかし、中央シートから内側シートをはがすことができないため、着用者が肌荒れしにくい化粧水等を選択して使用することができず、また、着用者ごとに顔の骨格が異なり、鼻の高さ、唇の形状、あごの形状等が異なるため、マスクを長時間使用していると、帯状に形成されたマスク用被着部材のうち肌に接した部分が、肌荒れしやすいという課題があった。【０００６】
特許文献３には、衛生マスクの外周近傍に枠体を接着固定して空洞部を形成させて、内部に水蒸気を貯える衛生マスクの技術が開示されている。更に、上縁部分に開口を有する平面視矩形のポケットを空洞部に配置して保液シートを挿入させる技術が開示されている。この技術によれば、保液シートに化粧水等を含浸させてポケットに収容すると、収容する際に枠体が濡れることになり、枠体に接する部分の肌が肌荒れしやすいという課題があった。ポケットに保液シートを収容してから、空洞部側から保液シートに化粧水等を含浸させると、鼻の先端などが濡れた保液シートに触れて、肌荒れしやすいという課題があった。【０００７】
特許文献４には、マスク着用者の顔面からマスクの中央部が離間して、該中央部に収容したジェル状などの蒸散性物質を中央部からの吸気によりマスク内に蒸散させる技術が開示されている。この技術によれば、中央部を介して呼吸がされるため、蒸散物質が液体である場合には短時間で蒸散し、保湿マスクの効果が長時間維持できないという課題があった。【０００８】
特許文献５には、マスクの内面に取り付けられる面状発熱体で、該発熱体が発熱して水蒸気を発散させる発熱体の技術が開示されている。この技術によるマスクを長時間着用した場合、例えば、就寝時に着用した場合には低温火傷を負う怖れもあり、長時間着用することができないという課題があった。【０００９】
特許文献６には、口に対面する領域の左右に息抜き開口が設けられた喉の保湿マスクの技術が開示されている。特許文献６の技術では、口の前面がマスク本体に覆われ呼気がマスク内に充満してその湿気により喉が保湿され、吸気の際には息抜き開口から空気が自然に導入されるとしている。しかし、息苦しさが軽減され喉が保湿される反面、息抜き開口の近傍が保湿されず、頬等の部分が保湿できないという課題があった。【００１０】
特許文献７には、立体マスクを装着しやすく、耳かけ部が耳から外れることを防止するために、マスクを上下逆に装着することがないように、上下方向の装着位置を確認する目印部が示された立体マスクの技術が開示されている。特許文献７の技術によれば、マスクが顔面に接する周囲の隙間をなくし保湿効果が高められる。しかし、上下方向の装着位置を確認する目印部では、潤いを与える保湿パッドを貼着しようとしても、その位置が決定しにくく、保湿パッドを肌に接する位置に貼着した場合には、肌荒れを起こし易いという課題があった。
【先行技術文献】
【特許文献】
【００１１】
特許文献１：特開２０１３−４８８９８号公報
特許文献２：特開２００８−１７８５５５号公報
特許文献３：特開２００９−２４７６１４号公報
特許文献４：特開２０１１−１２５４０８号公報
特許文献５：特開２００４−０７３８２８号公報
特許文献６：特開２０１２−４０１６３号公報
特許文献７：特開２００７−１３５８０１号公報
【発明の概要】
【発明が解決しようとする課題】
【００１２】
本発明が解決しようとする課題は、従来の保湿マスクにより肌を保湿した場合には肌荒れし易く、マスクを長時間着用して保湿しにくいということである。そこで、本発明では、マスク内面に着用者に直接面するように液体含浸部を備えさせ、着用者が肌荒れしにくい液体を含浸させることを可能にすると共に、着用者の肌に接しにくい鼻を挟んだ左右の位置に、着用者に接しないように設けられた液体含浸部から僅かずつ液体を蒸散させて、長時間安心して着用できる保湿マスクを提供することを目的とする。更に、肌に接しにくい位置に、液体含浸手段を貼着することが容易かつ簡単な構成の保湿マスクを提供することを目的とする。
【課題を解決するための手段】
【００１３】
本発明の第１の発明の保湿マスクは、着用者の鼻及び口を覆う通気布帛部を含んだマスク本体と、前記通気布帛部の内面に備えられる液体含浸手段とを含んだ保湿マスクにおいて、前記液体含浸手段は、前記着用者に直接に面する液体含浸部と、該液体含浸部を前記着用者の肌から離間させる含浸部離間手段とを含み、複数の前記液体含浸手段が前記通気布帛部の中央部を挟み左右に分散して配設され、前記含浸部離間手段は、不透水層を介して前記液体含浸部と接して備えられ、前記液体含浸部に液体が含浸されてから着用されることを特徴としている。【００１４】
保湿マスクは、通気布帛部の周縁を着用者の肌に接しさせるマスクであれば、その形態は限定されない。通気布帛部の形状は、プリーツ型、平型、又は立体型のいずれであってもよく、材質は、ポリプロピレン、ポリエステル等からなる不織布とされてもよく、綿織物からなるガーゼとされてもよく限定されない。マスク本体には耳かけ部を備えさせ、着用者の耳にかける等により、マスクが着用可能とされればよい。【００１５】
液体含浸手段は、予め通気布帛部と一体に形成されたものでもよく、別体に形成されたものでもよい。液体含浸手段の材質は限定されず、前記のポリプロピレン等の不織布、ポリウレタン等の合成樹脂を発泡成形したスポンジ又はパルプ、レーヨン、ポリエチレン等からなる親水性繊維等とすればよい。別体とされた液体含浸手段は、貼付面に備えられた接着シート等の公知の手段で通気布帛部に貼着される。液体含浸手段から通気布帛部へは、接着シート等により液体が伝達されない。【００１６】
複数の液体含浸手段が、通気布帛部と顔面との距離が小さい通気布帛部の中央部を挟んで、左右に分散して備えられる。左右に分散して備えられるため、左右いずれかの側の頬を下にして就寝しても、他方の側の液体含浸部から液体が蒸散される。複数の液体含浸手段からは、保湿マスク内の空間に着用者の体温により僅かずつ液体が蒸散して、長時間マスク内の空間が湿った空間とされる。【００１７】
液体含浸部を肌に接することがないように離間させている含浸部離間手段の形態は限定されない。通気布帛部の一部を、着用者から離間するように外方に突出させた形態として、その突出部の内面陥没部に備えられた液体含浸部が肌から離間されているようにしてもよい。また、液体含浸部を平面状として、その肌側の面から突出させた突出部を含浸部離間手段として、液体含浸部と肌とを離間させるようにしてもよい。【００１８】
着用者が、自らの趣向に応じた肌荒れをしにくい化粧水等の液体を選択することが可能で、かつ、着用者に直接に面する液体含浸部に所望の量の化粧水等を含浸させることが容易である。含浸させる液体は、着用者の使い慣れた化粧水等が使用されればよいが、これに限定されない。これにより、マスク内の空間を、着用者にとって好適な肌の保湿空間とすることが可能である。水を含浸させるようにしてもよいことは勿論のことである。【００１９】
含浸部離間手段は、液体含浸部とは接して備えられているため、その形状が崩れにくく、液体含浸部を肌に直接に接しにくくしている。また、含浸部離間手段と液体含浸部とは不透水層を介して接しているため、含浸部離間手段には液体が滲み出ることがない。これにより、含浸部離間手段から肌に液体が伝わることがなく、肌荒れしにくい。【００２０】
含浸部離間手段による離間距離が大きい場合には液体含浸部の面積を大きくでき、離間距離が小さい場合には液体含浸部の面積を小さくして数を増せば、保湿マスクの内面に同一量の液体を含ませることができる。そして、通気布帛部の周縁を着用者の肌に、また通気布帛部の中央部を鼻に接しさせた状態でも、液体含浸部は肌に接しにくくなる。【００２１】
本発明の第１の発明によれば、着用者が、自らの趣向に応じた肌荒れをしにくい化粧水等を選択することが可能で、かつ、着用者に直接に面する液体含浸部に所望の量の化粧水等を含浸させることが容易である。また、左右いずれかの側の頬を下にして就寝しても、他方の側の液体含浸部から化粧水等が蒸散され、複数の液体含浸手段からは、保湿マスク内の空間に着用者の体温により僅かずつ化粧水等が蒸散されて、長時間マスク内の空間が湿った空間とされるという有利な効果がある。これにより、保湿マスクが長時間使用されても肌荒れを起こしにくい。【００２２】
本発明の第２の発明は、第１の発明の保湿マスクにおいて、前記液体含浸部の肌側の面に突出部が備えられ、前記突出部が前記液体含浸部と前記肌とを離間させる前記含浸部離間手段とされていることを特徴としている。含浸部離間手段と液体含浸部とは、マスク面に沿う方向に重ねられて配設されてもよく、並べられて配設されて突出部が形成されてもよい。【００２３】
マスク内面と肌との離間距離が大きい場合には、突出部は肌に接していない状態とされる。しかし、就寝時などに、マスク内面と肌との離間距離が小さくなっても、含浸部離間手段の突出部の先方が肌に接し、液体含浸部の肌側の面は肌から離間された状態のままとされる。含浸部離間手段の突出部の先方が肌に接するようになるため、液体含浸部の肌側の面は肌から離間された状態とされる。【００２４】
本発明の第３の発明は、第１又は第２の発明の保湿マスクにおいて、前記通気布帛部の内面に、前記液体含浸手段の貼着位置の選択を容易にさせる貼着位置選択表示が示されていることを特徴としている。貼着位置選択表示は、縦横の線、図柄又はこれらと色彩が組み合わされたものでもよく、着用者が識別しやすい表示であれば限定されず、キャラクターが表示されてもよい。貼着位置選択表示は通気布帛部の内面に直接印刷されてもよく、シール材等を熱溶着等によって貼り付けてもよく、その加工手段も限定されない。【００２５】
着用者は、鼻の脇、上唇の上、下唇の下、口尻等の肌に触れにくい位置の中から、貼着位置選択表示を参考にして、以前に保湿マスクを着用した経験に基づいて、液体含浸手段を貼着させる位置を自ら決定することが容易である。最初に保湿マスクを着用する際には、保湿マスクを裏返して仮着用して、マスク面を外から指で押さえて、肌とマスクとの離間距離が大きい場所を探して、貼着位置選択表示を参考にして、液体含浸手段の貼着位置を決定する。そして、決定した貼着位置に液体含浸手段を貼着することにより、その着用者の顔面形状の特性に応じて、液体含浸部が肌に触れにくい位置に化粧水含浸手段を貼着することが可能である。【００２６】
これにより、着用者は、顔面の輪郭が異なり、鼻、頬、顎の形状が異なり、顔の骨格が左右対称でなくても、着用者自身の顔の形状の特徴に応じて、液体含浸部を肌に触れにくい位置に貼着することが容易である。【００２７】
本発明の第４の発明は、第３の発明の保湿マスクにおいて、前記通気布帛部の内面に、裏返して前記保湿マスクを仮着用して決定した前記貼着位置が、前記保湿マスクを普通に着用した際には、左右逆になることを示す左右表示がされていることを特徴としている。左右表示は、マスク内面の右側に「右」等の表示、左側に「左」等の表示、又は「マスクを着用した際には鏡に映して決めた化粧水の位置が左右逆になります。」という注意書き等でもよく、限定されない。【００２８】
着用者の顔面形状の特性に応じて、マスクを裏返して着用して決定した液体含浸手段の位置は、マスクを普通に着用した際には、左右逆の位置になる。しかし、左右表示がされているため、決定した液体含浸手段の位置を、着用者が誤ってマスク内面にて左右逆に判断し、液体含浸手段を左右逆に貼着することが防がれる。【００２９】
本発明の第５の発明は、第１から第４の発明の保湿マスクにおいて、前記耳かけ部は前記通気布帛部の左右両側から延出して、前記通気布帛部と一体に形成され、前記通気布帛部が顔面から離間するように膨出されて立体状に形成された立体マスクであることを特徴としている。【００３０】
立体マスクは、周縁が肌に接するようにされればよく、その形状は限定されない。周縁を除く通気布帛部の中央部が肌から離間するように膨出された立体状とされて、肌と通気布帛部との離間距離の大きなところに、液体含浸手段を備えさせやすい。通気布帛部が立体状に形成されているため、液体含浸手段と肌との離間距離が変わりにくく、就寝時においても肌荒れを起こしにくい。【００３１】
本発明の第６の発明は、第１から第４の発明の保湿マスクにおいて、前記通気布帛部は、横方向の折り目から形成された複数のプリーツを備え、複数の前記プリーツを広げた状態で、前記保湿マスクの中央部が肌から離間するように膨出されて着用されることを特徴としている。【００３２】
横方向の折り目からなるプリーツが形成された保湿マスクを着用するには、マスクの中央部を外方につまみ出して、中央部を肌から離間させるように凸状に膨出させて保湿マスクを着用させる。保湿マスク内の口元空間が大きく離間することにより、液体含浸手段と肌との距離が大きくなり、液体含浸部が肌に接しにくくなる。【００３３】
本発明の第７の発明は、第６の発明の保湿マスクにおいて、前記通気布帛部は、着用者の鼻頭を覆うプリーツの下方の折り目の近傍に通気容易部を有し、前記通気容易部の下方には、通気容易部形状保持手段が備えられ、前記通気容易部形状保持手段が、前記通気容易部を鼻孔に近づけさせ、その位置を保持させることを特徴としている。【００３４】
通気容易部は、布帛の重ね枚数を少なくしたものでもよく、通気性を高くしたメッシュ荒目部や通気孔を形成したものであってもよい。通気容易部以外の部分よりも通気が容易とされていればよい。通気容易部形状保持手段は横方向に延びる線材であればよいが、形状・材質は限定されない。線材を鼻下の輪郭に沿うように押えて、鼻下の輪郭に沿った状態が維持されるものであればよい。【００３５】
鼻孔の近傍に通気容易部が備えられ通気容易とされているため、液体含浸部からの液体成分の揮発によりマスク内の空間を保湿した状態としていても、鼻からの吸気が息苦しくならない。口から吸気する場合には、マスク内の湿った空気を吸気するため喉が渇きにくい。これにより、長時間の間、例えば就寝時に保湿マスク内の空間を湿った状態として機能させても、保湿マスクを無意識に外しにくくなる。【００３６】
本発明の第８の発明は、第７の発明の保湿マスクにおいて、前記通気布帛部の上縁及び下縁のいずれにも、前記通気布帛部の縁部を顔面に接するようにさせる形状保持手段を備え、上下を反転させて前記保湿マスクを着用した状態で、前記通気容易部形状保持手段により前記通気容易部が前記折り目の中に隠れて、衛生マスクとしても着用可能とされることを特徴としている。【００３７】
通気容易部形状保持手段により通気容易部がプリーツの折り目の中に隠れる形状とされているため、上下を反転させて着用し、通気容易部を鼻頭の上に沿う位置として、通気容易部を折り目の中に隠して着用することにより、通気容易部が外から判別できないようになる。これにより、上下反転させて使用しても通気容易部が外部から看ても目立たないようになり、外出時に衛生マスクとしても着用することも可能となる。
【発明の効果】
【００３８】
・本発明の第１の発明によれば、着用者が、自らの趣向に応じた肌荒れをしにくい化粧水等を選択することが可能で、かつ、着用者に直接に面する液体含浸部に所望の量の化粧水等を含浸させることが容易である。また、左右いずれかの側の頬を下にして就寝しても、他方の側の液体含浸部から化粧水等が蒸散され、複数の液体含浸手段からは、保湿マスク内の空間に着用者の体温により僅かずつ化粧水等が蒸散されて、長時間マスク内の空間が湿った空間とされるという有利な効果がある。これにより、保湿マスクが長時間使用されても肌荒れを起こしにくい。
・本発明の第２の発明によれば、含浸部離間手段の突出部の先方が肌に接するようになるため、液体含浸部の肌側の面は肌から離間された状態とされ、保湿マスクが長時間使用されても肌荒れを起こしにくい。【００３９】
・本発明の第３の発明によれば、着用者は、顔面の輪郭が異なり、鼻、頬、顎の形状が異なり、顔の骨格が左右対称でなくても、着用者自身の顔の形状の特徴に応じて、液体含浸部を肌に触れにくい位置に貼着することが容易である。
・本発明の第４の発明によれば、左右表示がされているため、決定した液体含浸手段の位置を、着用者が誤ってマスク内面にて左右逆に判断し、液体含浸手段を左右逆に貼着することが防がれる。
・本発明の第５の発明によれば、通気布帛部が立体状に形成されているため、液体含浸手段と肌との離間距離が変わりにくく、就寝時においても肌荒れを起こしにくい。【００４０】
・本発明の第６の発明によれば、保湿マスク内の口元空間が大きく離間することにより、液体含浸手段と肌との距離が大きくなり、液体含浸部が肌に接しにくくなる。
・本発明の第７の発明によれば、長時間の間、例えば就寝時に保湿マスク内の空間を湿った状態として機能させても、保湿マスクを無意識に外しにくくなる。
・本発明の第８の発明によれば、上下反転させて使用しても通気容易部が外部から看ても目立たないようになり、外出時に衛生マスクとしても着用することも可能となる。
【図面の簡単な説明】
【００４１】
【図１】保湿マスクの説明図（実施例１）。
【図２】液体含浸手段の具体例の説明図（実施例１）。
【図３】液体含浸体の成形工程の説明図（実施例１）。
【図４】貼着位置選択の説明図（実施例２）。
【図５】保湿マスクの説明図（実施例２）。
【図６】プリーツの断面図（実施例２）。
【図７】通気容易部を開いた保湿マスクの説明図（実施例３）。
【図８】通気容易部を閉じた保湿マスクの説明図（実施例３）。
【図９】保湿マスクの説明図（実施例４）
【発明を実施するための形態】
【００４２】
着用者自身が肌荒れしにくい液体を選択して、それをマスクの中心部から左右に複数備えさせた液体含浸部に含浸させて、液体含浸部を肌から離間させることにより、長時間着用しても肌荒れしにくい保湿マスクを実現した。
【実施例１】
【００４３】
実施例１では、立体状のマスクの内面に、液体含浸手段１０を左右各１か所ずつ貼着した保湿マスク１を、図１から図３を参照して説明する。図１は液体含浸手段１０を備えた立体状の保湿マスク１を着用者９０が着用した状態の説明図であり、図２は液体含浸手段の複数の具体例の説明図であり、図３は複数の液体含浸手段１０が添着された液体含浸体１００の成形工程の説明図である。図１では、着用者９０の輪郭、鼻、口の想像線を一点鎖線で示し、液体含浸手段等の本発明の要部の想像線を破線で示している（以下の図においても、同様としている）。【００４４】
保湿マスク１は、通気布帛部２０と耳かけ部と液体含浸手段１０とからなる。通気布帛部２０は、着用者の右顔面を覆う右側部２１と左側を覆う左側部２２とからなり、中央部で熱溶着され一体に形成されている。また、右側部の右端縁には右耳かけ部、左側部の左端縁２４には左耳かけ部２５が通気布帛部２０に熱溶着されて延出されている。通気布帛部の中央部は、顔面から先方に膨出されるように立体的に形成され、着用者の鼻及び口を覆い、通気布帛部の周縁２３が顔面に接して、保湿マスク１とされる。【００４５】
右側部２１、左側部２２は、いずれも熱可塑性合成繊維の不織布を用いて形成されている。この熱可塑性繊維としては、ポリエチレン、ポリプロピレン等を使用し、サーマルボンド法、ポイントボンド法等により製造されたものを適宜使用することができる。不織布は、通気性を有し、着用感の良いものであり、且つ顔に着用されたときに立体構造が保持され易くなるように、右側部２１及び左側部２２は耳かけ部よりも低伸縮性とされるのが好ましい。【００４６】
左右の耳かけ部は、開口２６を備えるリング状とされ、保湿マスク１の着用時には、着用者９０の鼻及び口を通気布帛部によって覆った状態で、開口２６が着用者の耳に引っ掛けられる。この耳かけ部は、通気布帛部２０と同様に熱可塑性合成繊維の不織布であって、且つ耳に痛みを与えないような伸縮性を有する材料を用いて形成されるのが好ましい。具体的には、公知の非弾性的に伸長可能な伸長性繊維からなる伸長層と、公知の弾性伸縮可能な弾性伸縮性繊維からなる弾性層が互いに積層された構成とするとよい。【００４７】
通気布帛部２０は、保湿マスク１が着用された際に、右側部２１と左側部２２の内面と着用者９０の顔面との間に離間空間が形成されるように、前方に膨出されるように立体的に形成されている。図１で示したように、保湿マスク１と顔面との離間距離が大きな場所に、鼻筋を挟んで左右となるように液体含浸手段１０が貼着されて備えられる。保湿マスクの内面の貼着位置選択表示の印（符号４６，４７，４８）と左右表示（符号５０のみ表示している。）は、保湿マスクを裏返して着用しやすい実施例２の保湿マスク２により後述する。【００４８】
液体含浸手段の３つの具体例を、図２を参照して説明する。図２（Ａ）図、図２（Ｂ）図は第１の具体例の説明図、図２（Ｃ）図、図２（Ｄ）図は第２の具体例の説明図、図２（Ｅ）図、図２（Ｆ）図は第３の具体例の説明図であり、図２（Ａ）図、図２（Ｃ）図、図２（Ｅ）図は斜視図、図２（Ｂ）図、図２（Ｄ）図、図２（Ｆ）図は、各々の斜視図に示した一点鎖線の位置における断面端面図を示している。【００４９】
第１の具体例の液体含浸手段１０は、円板形状をなす液体含浸部１１の上に、含浸部離間手段をなす環状部１２が重ねられて形成されている。液体含浸部１１は、直径が約３０ｍｍ、厚さ約３ｍｍとされ、環状部１２の外径は約３０ｍｍ、内径が約２６ｍｍ、高さが約３ｍｍとされている。環状部１２の先端が肌に接した状態でも、保湿マスクが面するマスク内の空間に、液体含浸部から液体が蒸散されるように、環状部側面の一部が切り欠かれて蒸散通気部１３が形成されるが、蒸散通気部は必須ではない。接着剤１４は、有機系接着剤を主成分として、硬化した状態で不透水層をなすものであればよい。【００５０】
液体含浸部１１の材質は、パルプ、レーヨン、ポリエチレン等の親水性繊維からなり、液体が含浸可能な物であればよい。環状部１２は、アクリル、ポリエステル、ポリ塩化ビニル等の合成繊維を圧縮成型して形成してもよく、紙、パルプ、軟質樹脂を成型して形成させてもよく材質は限定されない。液体含浸部１１の裏面には、通気布帛部に貼着可能な粘着層１５が形成され、粘着層１５はアクリル系、シリコン系等の粘着剤からなり、その外面には剥離紙１６（図３参照）が添付されている。【００５１】
液体含浸手段１０に液体を含浸させるには、含浸部離間手段をなす環状部１２に液体を浸さないようにして、液体含浸部１１の中央部分に、着用者が肌荒れしにくい化粧水等の液体の数滴分を含ませればよい。含ませる量は、着用者９０の趣向に応じて適宜調整される。液体を含浸させた液体含浸手段１０は、粘着層外面の剥離紙１６から剥がされて、保湿マスク１の内面に、着用者９０の顔面と液体含浸手段１０が接しにくい位置に貼着される。具体的には、鼻の中央線を挟んで、鼻の脇から口尻の脇にかけての左右各々の領域に貼着される。【００５２】
次に、複数の液体含浸手段１０を、剥離紙１６に配設させた液体含浸体１００の具体例を、図３を参照して説明する。図３（Ａ）図は剥離紙１６に複数の液体含浸手段１０が貼着された状態の一部を示す平面図である。図３（Ｂ）図から図３（Ｅ）図は、順に液体含浸手段１０が成形される工程を、図３（Ａ）図の一点鎖線の位置における断面端面図により説明する図である。【００５３】
液体含浸手段１０を形成するには、まず、剥離紙１６の剥離面に、粘着層１５を形成させた液体含浸シート１７を接着させる（図３（Ｂ）図）。次に、上方からリング状の打ち込み刃を使って、剥離紙１６に僅かに食込むように切り込みを入れて、液体含浸シート１７に独立した円板部をなす液体含浸部１１を形成させる（図３（Ｃ）図）。【００５４】
そして液体含浸部１１だけを剥離紙１６に貼着させた状態として残すように、液体含浸部の周囲の部分１８を撤去して、液体含浸部の側端縁１９に止水処理をする（図３（Ｄ）図）。止水処理は、止水材を塗布すればよいが、予め液体含浸シート１７に熱硬化性樹脂を含ませておいて、液体含浸部１１を円板状に形成させる際に、加熱した打ち込み刃にて側端縁１９を硬化させて、含ませた液体が滲みでないようにされてもよい。また、液体含浸部の周囲近傍のみを加熱圧縮して止水処理をしてもよい。【００５５】
そして円板状とされた液体含浸部１１の上に、予め、側方に蒸散通気部１３を備えるようにリング状に成型された環状部１２が、不透水性の接着剤１４で貼着されて、複数個の液体含浸手段１０が剥離紙１６の上に形成される（図３（Ｅ）図）。環状部１２が不透水性の材質からなる場合には、接着剤が不透水性の接着剤でなくてもよいことは勿論のことである。【００５６】
次に、図２（Ｃ）図と図２（Ｄ）図を参照して、簡単に第２の液体含浸手段３０を説明する。第２の液体含浸手段３０は、円板状をなす液体含浸部３１の周縁に接するように、含浸部離間手段をなす環状部３２が並んで形成されている。液体含浸部３１の直径が約２６ｍｍ、厚さが約３ｍｍとされ、環状部３２は内径が約２６ｍｍ、高さが約６ｍｍとされている。環状部３２の側方に蒸散通気部１３を形成してもよいことは第１の液体含浸手段１０と同様である。【００５７】
第２の液体含浸手段３０を形成させる工程は、第１の液体含浸手段１０と異なり、剥離紙に環状部３２を接着させてから、その中に液体含浸部３１を格納させるように、不透水性の接着剤３３で接着して形成させればよい。環状部３２に撥水処理などの不透水性処理がされることにより、液体含浸部３１に滴下された液体が滲みでないようにしてもよい。【００５８】
次に、図２（Ｅ）図と図２（Ｆ）図を参照して、第３の液体含浸手段３５を説明する。液体含浸手段３５は、液体含浸部をなす帯状に成型された帯状体３６の上に重ねて、含浸部離間手段として複数の筋状体３７を接着して形成させている。帯状体３６は、幅が約１８ｍｍ、厚さが約３ｍｍ、長さが約１００ｍｍとされ、筋状体３７は幅が約２ｍｍ、高さが約３ｍｍ、長さは帯状体と同じ長さとされる。【００５９】
液体含浸手段は、第１の液体含浸手段と同様に、剥離紙にまず帯状体３６が接着されて、その上方に重ねられて３本の筋状体３７が平行に不透水性の接着剤３８により接着されて形成され、帯状体３６と筋状体３７とは不透水処理がされる。高さ３ｍｍの筋状体３７は、隣の筋状体３７とは約６ｍｍの間隔が空けて配列され、帯状体３６が着用者９０の肌に接しにくくされている。液体含浸手段３５は、着用者の趣向に応じて所望の長さに切断されて、保湿マスク１の内面に接着されて使用される。
【実施例２】
【００６０】
実施例２では、横方向の折り目から形成された複数のプリーツを備えた保湿マスク２を、図４から図６を参照して説明する。図４は保湿マスク２を裏返した状態を前方から看た斜視図、図５は保湿マスク２を普通に着用した状態を前方から看た斜視図を示し、図６（Ａ）図は中央部から上下方向にプリーツが折り重なるように形成された保湿マスクの断面図を示し、図６（Ｂ）図は上方から下方に向けてプリーツが重なるように形成された保湿マスクの断面図を示す図である。【００６１】
実施例２の保湿マスク２は、その通気布帛部４０が通気性を有する５枚の不織布が重ねられ、横方向の折り目から形成された４か所のプリーツ４１が、中央部から上下方向にプリーツ４１が重なるように形成されている（図６（Ａ）図参照）。マスク２として平面状に折り畳んだ後に周縁部４２が熱圧着され、通気布帛部４０とされている。通気布帛部４０の上方には、保湿マスクを鼻にフィットさせるノーズフィット４３が備えられ、顔面との隙間を小さくする遮蔽部４４が備えられている（図６（Ａ）図参照）。保湿マスクの左右の周縁部４２には、各々の上端から下端にかけてゴム紐４５が備えられ、耳かけ部とされている。保湿マスク２は、通気布帛部４０が外方に膨出するように、通気布帛部のプリーツ４１を広げて着用される。【００６２】
保湿マスク２には、上方のプリーツの内面にスペード印４６、ハート印４７、星印４８が、保湿マスクの中央部を挟んで左右各々に上下方向、横方向ともに３列ずつ印刷されて、液体含浸手段１０を貼着させる位置を決める貼着位置選択表示とされている（図４参照）。普通に着用した際に、保湿マスク２の内面側の右側に「Ｒ」の文字表示４９、左側に「Ｌ」の文字表示５０がされている（図５参照）。【００６３】
図４を参照して、保湿マスク２を着用する際に、液体含浸手段１０を貼着させる位置を決定する方法を説明する。着用者は、保湿マスク２を裏返して仮着用して、鏡に映して確認しながら保湿マスク２の上に指で触れて、保湿マスクと顔面との距離が離れている場所の左右各々の印を決定する。例えば、顔面の右側は中央のハート印の下側が、肌と通気布帛部との離間距離が大きく、「右については中央のハート印の下側の位置」が液体含浸手段を貼着する位置としては好適であることを確認して決定する（図４参照）。同様にして、顔面の左側についても貼着位置を決定しておく。【００６４】
左右の貼着位置の確認後、保湿マスク２を普通の状態に戻して、保湿マスクの前面を外方に膨出させるようにする（図５参照）。そして、保湿マスクの内面の左右表示に示される「Ｒ」の文字表示４９を確認して、左右を間違えないようにして、膨出させた保湿マスク２の内面に表示され、確認した「中央のハート印の下側の位置」に、右側の液体含浸手段１０を貼着する（図５において液体含浸部１１を濃色で示している）。同様にして左側の液体含浸手段１０を貼着して、各々の液体含浸部１１に液体を数滴分含ませて、保湿マスク２を着用する。予め、液体含浸手段１０に液体を含ませてから、液体含浸手段１０を保湿マスク２に貼着してもよいことは勿論のことである。【００６５】
ここで、横方向の折り目から形成された複数のプリーツを備えた保湿マスクの具体例を説明しておく。図６（Ａ）図に示した第１の保湿マスクは、図４、図５に示した例であり、実施例２の中で説明したものである。第２の保湿マスクは、上方から下方に向けて、横方向に伸びる３か所のプリーツ５１が重なるように形成された保湿マスクの例である（図６（Ｂ）図参照）。【００６６】
第１の保湿マスクによれば、普通に着用する際に中央部を膨出させた状態で、その形状を維持しやすい。第２の保湿マスクによれば、裏返して上下を反転させれば同一のプリーツの形状となる。また裏返したのみでも、上下を反転させたのみでも、中央部を外方に膨出させた形状は略同様であり、裏返しても、上下を反転させても着用しやすい。プリーツが形成された形状は、これらに限定されないことは勿論のことである。
【実施例３】
【００６７】
実施例３では、図７及び図８を参照して、通気容易部としての孔６０と通気容易部形状保持手段としての細幅樹脂材６１とを備えた保湿マスク３を説明する。図７は保湿マスク３を普通に着用した状態の説明図を示し、図８は保湿マスク３を上下反転させて着用した状態の説明図である。図７、図８では液体含浸手段３０と共に通気容易部形状保持手段を破線で示している。【００６８】
保湿マスク３には、その上縁部に顔面に接して、その形状を保持させる形状保持手段として、上縁部に細幅樹脂材６２がノーズフィットとして、重ねられた不織布の中に封止されて備えられている。また、下縁部にも同様に細幅樹脂材６３（図８参照）が備えられている。通気容易部は、通気布帛部の折り目の底の部分に４つの小径の孔６０が設けられて形成されている。また、通気布帛部の下方の折り目に沿って、通気容易部形状保持手段としての細幅樹脂材６１が備えられている。通気容易部形状保持手段は、横方向に伸びる細幅樹脂材６１が、ノーズフィットと同様にして５枚の不織布の中に、その周縁を熱圧着させることにより封止されている。【００６９】
実施例２の保湿マスク２と同様に、液体含浸手段３０が貼着されてから実施例３の保湿マスク３も着用される。そして、保湿マスク３の着用後に、通気容易部形状保持手段としての細幅樹脂材６１が鼻孔下かつ上唇上の近傍部の位置の肌に押しつけられて、通気容易部の孔６０の通気性が維持される状態となり、就寝時でも呼吸が苦しくなりにくい。なお、保湿マスクを裏返して着用すれば、貼着位置選択表示が外部から看えるようになるが、プリーツの底の孔６０を、鼻孔に接触させたままとすることが容易である。【００７０】
一方、保湿マスク３を上下反転して着用する際には、通気容易部としての孔６０がプリーツ６４の中に隠されるように折り込まれる。そして、通気容易部形状保持手段としての細幅樹脂材６１が、孔６０を隠したプリーツ６４を起き上がらないように押さえつけ、外部から孔６０が看えないようにする（図８参照）。これにより、実施例３の保湿マスクは、衛生マスクとしても使うことができ、外出時にも着用することができる。
【実施例４】
【００７１】
実施例４では、図９を参照して、中央線を挟んで立体状の通気布帛部７０の左右に、外方に突出し、内方が陥没部７１とされた液体含浸手段８０を備えた保湿マスク４を説明する。この陥没部７１には通気布帛部７０と、図では省略している不透水層により区画されて液体含浸部７２が格納される。陥没部７１は、通気布帛部７０の一部が加熱されながら押し出されて形成されてもよく、別体として形成された陥没部７１が固着されて形成されてもよい。【００７２】
液体含浸部７２は陥没部７１の形状に適合した形状とされ、その内面が着用者の肌に触れないように、肌との間が離間されている。この保湿マスク４では、液体含浸部７２を格納する陥没部７１の位置が予め決定されているため、貼着位置選択表示や左右表示等が省略されている。【００７３】
・上述した実施例は保湿マスクとしているが、衛生マスクに液体含浸手段を備えさせることにより、保湿マスクとなることは勿論のことである。
・上述した実施例では、液体の例に化粧水をあげて保湿しているが、喉治療薬等の液体が使用されてもよい。
・上述した実施例1から実施例３では、液体含浸手段を着用前に通気布帛部に貼着させた実施例を示したが、予め液体含浸手段が備えられた保湿マスクであってもよいことは勿論のことである。
・液体含浸手段の大きさ、形状は限定されず、楕円形、ひょうたん形等の形状であってもよく、数も限定されない。
・今回開示された実施の形態はすべての点で例示であって制限的なものではない、と考えられるべきである。
・本発明の技術的範囲は上記した説明に限られず、特許請求の範囲によって示され、特許請求の範囲と均等の意味および範囲内でのすべての変更が含まれることが意図される。
【符号の説明】
【００７４】
１，２，３，４…保湿マスク、
１０，３０，３５，８０…液体含浸手段、９０…着用者、１００…液体含浸体、
２０，４０，７０…通気布帛部、
２１…右側部、２２…左側部、２３…周縁、２４…左端縁、２５…左耳かけ部、２６…開口、
１１，３１…液体含浸部、１２…環状部、１３…蒸散通気部、１４…接着剤、１５…粘着層、１６…剥離紙、１７…液体含浸シート、１８…液体含浸部の周囲の部分、１９…側端縁、３２…環状部、３３…接着剤、３６…帯状体、３７…筋状体、３８…接着剤、
４１，５１…プリーツ、４２…周縁部、４３…ノーズフィット、４４…遮蔽部、
４５…ゴム紐、４６…スペード印、４７…ハート印、４８…星印、４９…「Ｒ」の文字表示、５０…「Ｌ」の文字表示、
６０…孔、６１，６２，６３…細幅樹脂材、６４…プリーツ、
７１…陥没部、７２…液体含浸部
【要約】
【課題】保湿マスクの着用者が選択した液体を含ませた液体含浸部を、肌から離間した状態として、保湿マスクを長時間着用しても肌荒れしにくく、液体含浸部を肌から離間した状態とすることが容易な保湿マスクを提供する。
【解決手段】保湿マスクの通気布帛部の内面側に、着用者の肌に直接に面するように液体含浸部を設け、含浸部離間手段により液体含浸部と肌とを離間させて、液体含浸部が肌と接しにくいようにする。液体含浸手段の貼着位置の選択を容易にさせる貼着位置選択表示、通気布帛部の内面に貼着位置が左右逆になることを示す左右表示がされると好適である。
【選択図】図１【図１】
0005734530.tif 000002
【図２】
0005734530.tif 000003
【図３】
0005734530.tif 000004
【図４】
0005734530.tif 000005
【図５】
0005734530.tif 000006
【図６】
0005734530.tif 000007
【図７】
0005734530.tif 000008
【図８】
0005734530.tif 000009
【図９】
0005734530.tif 000010